(57)【要約】【課題】写真モジュールを固着させ、構造が簡単な電気コネクタを提供すること。【解決手段】本考案による写真モジュールを収納する電気コネクタは、写真モジュールを収納する収納槽が形成される絶縁本体と、絶縁本体に収納され、写真モジュールを電気接続する接触部を含む複数の導電端子と、絶縁本体に取り付けられるハウジングと、ハウジングと係合して電子部材を収納槽に固着させる固定部材と、を備える。【選択図】図１
0003122921.tif 000002
【実用新案登録請求の範囲】
【請求項１】
電子部材を収納する電気コネクタであって、
電子部材を収納する収納槽が形成される絶縁本体と、
前記絶縁本体に収納され、前記電子部材を電気接続する接触部を含む複数の導電端子と、
前記絶縁本体に取り付けられるハウジングと、
前記ハウジングと係合して前記電子部材を収納槽に固着する固定部材と、
を備えることを特徴とする電気コネクタ。
【請求項２】
前記電気コネクタに収納される電子部材は、写真モジュールであることを特徴とする、請求項１に記載の電気コネクタ。
【請求項３】
前記固定部材は、弾力板であり、
前記ハウジングには、前記収納槽に向かって突出して前記固定部材と係合する複数の係合部が設けられることを特徴とする、請求項１に記載の電気コネクタ。
【請求項４】
前記固定部材には開口が形成され、前記電子部材の上部が前記開口から突出することによって、前記電子部材の下部を収納槽に固着させることを特徴とする、請求項３に記載の電気コネクタ。
【請求項５】
前記固定部材は、弾力板から下向きに折り曲げられてドーム状構造に形成されることを特徴とする、請求項３に記載の電気コネクタ。
【請求項６】
前記絶縁本体は、上向きに突出する突出片が設けられる一対の第１側壁を含み、
各突出片に対応する前記第１側壁間には挿入槽が形成されることを特徴とする、請求項１に記載の電気コネクタ。
【請求項７】
前記絶縁本体の第１側壁の内側には嵌合槽が形成されることを特徴とする、請求項６に記載の電気コネクタ。
【請求項８】
前記ハウジングは前記嵌合槽に嵌合する嵌合片が設けられるとともに、前記挿入槽に挿入される一対の第１側面を有することを特徴とする、請求項７に記載の電気コネクタ。
【請求項９】
前記絶縁本体は、外向きに突出する複数の凸状部片が設けられる一対の第２側壁を有することを特徴とする、請求項６に記載の電気コネクタ。
【請求項１０】
前記絶縁本体は底壁を含み、前記底壁の周囲には該底壁から前記第１側壁と前記第２側壁まで延在する四つのスロットが形成され、
前記導電端子は、スロットから外向きに延在する半田部を有することを特徴とする、請求項９に記載の電気コネクタ。
【考案の詳細な説明】
【技術分野】
【０００１】
本考案は電気コネクタに関し、写真モジュールを固着するために用いる電気コネクタに関する。
【背景技術】
【０００２】
電子技術の発展に従って、写真のような機能が、携帯電話やＰＤＡ等電子機器に設置される。同時に、写真モジュールを固定する電気コネクタが製作される。電子工業における電気コネクタは、通常、絶縁本体と、絶縁本体に挿入される複数の導電端子と、絶縁本体に取り付けられるハウジングと、ハウジングに設置され、モジュールを固着する固着部材と、を具備する。
【０００３】
モジュールを収納する一種の電気コネクタは、凹口が形成されるハウジングを有する。該モジュールには、該凹口に係合する突出部が設けられる。該電気コネクタは、モジュールの突出部がハウジングの凹口に係合することによって、モジュールに固着する。
【０００４】
ところで、モジュールには突出部を設置しなければならない。モジュールを製作することは、複雑さを増大させるとともに、該モジュールを組み合わせること自体が不便である。且つ、モジュールは、突出部が凹口から容易に外れることによって、電気コネクタに固着し難い（例えば、特許文献１参照）。
【特許文献１】中国特許２、６８７，８９４号公報
【０００５】
一種のフード付きレンズ鏡筒は、複数の係合部片が設けられる鏡筒モジュールと、係合部片と係合する複数の係合槽が形成される絶縁本体と、を備える。該フード付きレンズ鏡筒は、モジュールの係合部片が絶縁本体の係合槽に係合することによって、モジュールに固着する。
【０００６】
ところで、係合部片を設置することによって、モジュール製作を複雑にしている。且つ、係合部片が設けられるモジュールを絶縁本体に取り付けることは不便である（例えば、特許文献２参照）。
【特許文献２】特開２０００−１５５３５６号公報
【０００７】
従って、本考案は前記の欠点を克服するために一種の新たな電気コネクタを構成する。
【考案の開示】
【考案が解決しようとする課題】
【０００８】
本考案の目的は、こうした従来の問題点を解決した電気コネクタを提供することである。すなわち、従来の技術とは異なり、写真モジュールに固着し、構造が簡単な電気コネクタが得られるようにすることである。
【課題を解決するための手段】
【０００９】
本考案は写真モジュールを収納する電気コネクタに関し、該電気コネクタは、写真モジュールを収納する収納槽が形成される絶縁本体と、絶縁本体に収納され、写真モジュールを電気接続する接触部を含む複数の導電端子と、絶縁本体に取り付けられるハウジングと、ハウジングと係合して電子部材を収納槽に固着する固定部材と、を備える。
【考案の効果】
【００１０】
従来の技術に比べると、本考案は以下の長所がある。本考案の電気コネクタの固定部材は、ハウジングと係合して写真モジュールに弾力を与えることによって、写真モジュールを収納槽に固着させる。該種の固定部材を含む電気コネクタは、構造が簡単であり、写真モジュールの固着効果が良好である。又、電気コネクタは、係合部を含まない写真モジュールにも固着できる。
【考案を実施するための最良の形態】
【００１１】
図３及び図４に示すように、写真モジュール５を収納する電気コネクタ１００は、絶縁本体１と、複数の導電端子２と、ハウジング３と、固定部材４と、を備える。
【００１２】
絶縁本体１は、中間に円形の通孔１３１が形成される矩形の底壁１３と、底壁１３から上向きに延在する一対の第１側壁１１と、一対の第２側壁１２と、それらの壁１１，１２，１３から包囲される収納槽１４と、を有する。底壁１３周囲には、底壁１３から第１側壁１１と第２側壁１２まで延在する四つのスロット１３２が形成される。第１、第２側壁１１，１２の内側には複数の端子槽１６が形成される。一対の第１側壁１１の底部の外側には、それぞれ上向きに突出する突出片１１０が設けられる。各突出片１１０と対応する第１側壁１１間には挿入槽１１０１が形成される。各第１側壁１１内側には嵌合槽１５が形成される。各第２側壁１２の底部には外向きに突出する複数の凸状部片１２０が設けられる。
【００１３】
各導電端子２は、主体部２２と、主体部２２から折り曲げられる接触部２３と、主体部２２から延在する半田部２１と、を有する。
【００１４】
ハウジング３は、金属片が折り曲げられて形成され、絶縁本体１の第１側壁１１を対応する一対の第１側面３１と、絶縁本体１の第２側壁１２を対応する一対の第２側面３２と、を具備する。各第１側面３１には、内側に向かって折り曲げられる嵌合片３１０が設けられる。各第２側面３２の中間には上向きに延在する突出部３２０が設置される。各突出部３２０は並んで設置される一対の弾性係合部３２１を含む。各係合部３２１は下向きに傾斜して内側に向かって突出する。
【００１５】
固定部材４は、弾力板から下向きに折り曲げられてドーム状構造に形成される。固定部材４の中央には円形の開口４１が形成される。
【００１６】
写真モジュール５は、立方体の基部５１と、基部５１から上向きに延在する円柱状の柱状部５２と、を有する。基部５１には、上表面５１１と、底面５１２と、四つの側面５１３と、を具備する。底面５１２には、複数の凸状部片５１４が設けられる。複数の導電片５１０は、底面５１２と側面５１３に設けられる。
【００１７】
図１乃至図５に示すように、該電気コネクタ１００を取り付ける時、先ず、複数の導電端子２は絶縁本体１に挿入され、主体部２２が端子槽１６に挿入され、半田部２１がスロット１３２から外向きに延在して回路基板（図示せず）に半田付けされ、接触部２３が収納槽１４に向かって突出する。ハウジング３は、絶縁本体１に取り付けられ、第１、第２側面３１，３２が、それぞれ絶縁本体１の第１、第２側壁１１，１１２をシールドする。ハウジング３の一対の第１側面３１が絶縁本体１の挿入槽１１０１に挿入され、一対の嵌合片３１０が絶縁本体１の嵌合槽１５に嵌め込まれ、第２側面３２が凸状部片１２０に支持される。次に、写真モジュール５が絶縁本体１にガイドされ、収納槽１４に収納され、凸状部片５１４が通孔１３１に嵌め込まれる。導電端子２の接触部２３は、写真モジュール５の導電片５１０に接触する。最後に、固定部材４は、写真モジュール５の基部５１の上表面５１１に取り付けられる。写真モジュール５の柱状部５２が固定部材４の開口４１から突出する。弾性固定部材４は、両端がハウジング３の複数の係合部３２１から下向きに押圧されて係合することによって、写真モジュール５に弾力を与えて写真モジュール５の基部５１を電気コネクタ１００の収納槽１４に固着させる。
【００１８】
他の実施状態では、写真モジュール５だけでなくて、他種のモジュール或いは他の電子部材を収納してもよい。又、絶縁本体１とハウジング３と固定部材４は、矩形状構造だけでなくて、円柱状構造を具備してもよい。
【００１９】
本考案の多数の特徴及び長所など、その構造及び機能を前述の記載により共に説明してきた。また、前記の記載や、本考案に基づきなし得る細部の修正或は変更など、いずれも本考案の請求範囲に属するものである。
【産業上の利用可能性】
【００２０】
本考案は電気コネクタに関し、特に、電子モジュールを固着し、構造が簡単な電気コネクタに関する。
【図面の簡単な説明】
【００２１】
【図１】本考案の電気コネクタと写真モジュールの組合せ視図である。
【図２】本考案の電気コネクタと写真モジュールの他の組合せ視図である。
【図３】本考案の写真モジュールと電気コネクタの分解視図である。
【図４】本考案の写真モジュールと電気コネクタの他の分解視図である。
【図５】本考案の固定部材が取り付けない電気コネクタの斜視図である。
【符号の説明】
【００２２】
１  絶縁本体
２  導電端子
３  ハウジング
４  固定部材
５  写真モジュール
１１  第１側壁
１２  第２側壁
１３  底壁
１４  収納槽
１５  嵌合槽
１６  端子槽
２１  半田部
２２  主体部
２３  接触部
３１  第１側面
３２  第２側面
４１  開口
５１  基部
５２  柱状部
１００  電気コネクタ
１１０  突出片
１２０  凸状部片
１３１  通孔
１３２  スロット
３１０  嵌合片
３２０  突出部
３２１  係合部
５１０  導電片
５１１  上表面
５１２  底面
５１３  側面
５１４  凸状部片
１１０１  挿入槽
【図１】
0003122921.tif 000003
【図２】
0003122921.tif 000004
【図３】
0003122921.tif 000005
【図４】
0003122921.tif 000006
【図５】
0003122921.tif 000007